(57)【要約】【課題】フィルタを取り外すことなく簡単に清掃し得るようにし、作業能率を向上することができるようにしたショーケースを提供する。【解決手段】ショウケース本体を支持する架台３の内部に、凝縮器６を備える冷凍機ユニット７を収容してなるショーケースにおいて、前記凝縮器６の前面に、フィルタ１２を、右方に移動可能に設け、該フィルタ１２の移動方向の側端部に、吸引手段１９に連通され、かつフィルタ１２が通過することにより、それに付着した埃を吸引して除去する吸引ノズル１７を設ける。【選択図】  図３
2009180399.tif 000002
【特許請求の範囲】
【請求項１】
ショーケース本体を支持する架台の内部に、凝縮器を備える冷凍機ユニットを収容してなるショーケースにおいて、
前記凝縮器の前面に、フィルタを、左右または上下いずれかの方向に移動可能に設け、該フィルタの移動方向の端辺部に、吸引手段に連通され、かつフィルタが通過することにより、それに付着した埃を吸引して除去する吸引ノズルを設けたことを特徴とするショーケース。
【請求項２】
吸引ノズルを、フィルタ側の面が開口する箱形とした請求項１に記載のショーケース。
【請求項３】
箱形とした吸引ノズルの開口面を、フィルタが通過可能なガイド孔を残して、後面板により覆ってなる請求項２に記載のショーケース。
【請求項４】
架台内に、フィルタの上下または左右の端部を移動可能にガイドする１対のガイドレールを設けた請求項１ないし３のいずれかに記載のショーケース。
【請求項５】
ガイドレールのガイド片に、長手方向を向くスリット状のガイド溝を設け、このガイド溝に、フィルタの端部前面に前向き突設した操作把手を、長手方向に摺動可能に挿通した請求項４に記載のショーケース。
【請求項６】
フィルタの前方における架台の前端下部に、複数の通風孔を有するキックプレートの下端部を、前方に所要角度だけ傾動し得るように取り付けた請求項１〜５のいずれかに記載のショーケース。
【請求項７】
キックプレートの開閉操作と連動して、吸引手段を自動的にオンオフさせるスイッチを設けた請求項６に記載のショーケース。
【請求項８】
フィルタを前後方向に可撓性を有するものとした請求項１〜７のいずれかに記載のショーケース。
【発明の詳細な説明】
【技術分野】
【０００１】
本発明は、冷凍機ユニットを備えるショーケースに係わり、特に、冷凍機ユニットにおける凝縮器の前面に設けたフィルタを清掃し得るようにしたショーケースに関する。
【背景技術】
【０００２】
スーパーやデパート等において、冷凍または冷蔵商品を陳列して販売するショーケースの中には、ショーケース本体の下部の架台内に、冷凍機ユニットを収容したものがある(例えば特許文献１〜３参照)。
【０００３】
【特許文献１】特許第３０２４４４１号公報
【特許文献２】特開２００４２４５５６９号公報
【特許文献３】特開平１０３２７９９２号公報
【発明の開示】
【発明が解決しようとする課題】
【０００４】
上記冷凍機ユニットは、外気を取り入れて熱交換するための凝縮器を有しており、この凝縮器の前面には、フィルタが設けられているのが一般的である。このフィルタが目詰まりすると、冷却効果が損なわれたり、冷凍機ユニットの故障の原因になるので、定期的に清掃する必要がある。
【０００５】
上記特許文献１及び２に記載されているショーケースにおいては、フィルタをその都度取り外して清掃する構成となっているため、フィルタの着脱作業や清掃作業が面倒であり、作業能率が悪いという問題を有している。
【０００６】
本発明は、上記問題点を解決するためになされたもので、フィルタを取り外すことなく簡単に清掃し得るようにし、作業能率を向上することができるようにしたショーケースを提供することを目的としている。
【課題を解決するための手段】
【０００７】
上記課題を解決するために、本発明の請求項１に記載のショーケースは、
ショーケース本体を支持する架台の内部に、凝縮器を備える冷凍機ユニットを収容してなるショーケースにおいて、
前記凝縮器の前面に、フィルタを、左右または上下いずれかの方向に移動可能に設け、該フィルタの移動方向の端辺部に、吸引手段に連通され、かつフィルタが通過することにより、それに付着した埃を吸引して除去する吸引ノズルを設けたことを特徴としている。
この特徴によれば、凝縮器の前面に設けたフィルタを、吸引手段を作動させた状態で左右または上下いずれか一方に移動し、吸引ノズルを通過させるのみで、フィルタに付着した埃が自動的に吸引されて除去される。従って、フィルタを取り外すことなく簡単に清掃することができ、作業能率が大幅に向上する。
【０００８】
本発明の請求項２に記載のショーケースは、請求項１に記載のショーケースであって、
吸引ノズルを、フィルタ側の面が開口する箱形としたことを特徴としている。
この特徴によれば、吸引ノズルを、フィルタ側が開口する箱型としてあるので、その吸引効果が大となり、フィルタの前面に付着した埃を効果的に吸引して除去することができる。
【０００９】
本発明の請求項３に記載のショーケースは、請求項２に記載のショーケースであって、
箱形とした吸引ノズルの開口面を、フィルタが通過可能なガイド孔を残して、後面板により覆ったことを特徴としている。
この特徴によれば、フィルタを、ガイド孔に沿って安定して通過させうるとともに、吸引ノズルの開口面が、フィルタが通過可能なガイド孔を残して後面板により覆われているので、フィルタの前面に付着した埃をより効果的に吸引して除去することができる。
【００１０】
本発明の請求項４に記載のショーケースは、請求項１ないし３のいずれかに記載のショーケースであって、
架台内に、フィルタの上下または左右の端部を移動可能にガイドする１対のガイドレールを設けたことを特徴としている。
この特徴によれば、フィルタを１対のガイドレールに沿って、左右または上下方向に安定的に移動させることができる。
【００１１】
本発明の請求項５に記載のショーケースは、請求項４に記載のショーケースであって、
ガイドレールのガイド片に、長手方向を向くスリット状のガイド溝を設け、このガイド溝に、フィルタの端部前面に前向き突設した操作把手を、長手方向に摺動可能に挿通したことを特徴としている。
この特徴によれば、ガイドレールの前方に突出する操作把手を持って、フィルタを容易に左右または上下方向に移動させることができる。
【００１２】
本発明の請求項６に記載のショーケースは、請求項１ないし５のいずれかに記載のショーケースであって、
フィルタの前方における架台の前端下部に、複数の通風孔を有するキックプレートの下端部を、前方に所要角度だけ傾動し得るように取り付けたことを特徴としている。
この特徴によれば、キックプレートを取り外すことなく、これを前方に所要角度だけ傾動させて開いた状態で、その上方の開口部よりフィルタを移動操作することができるので、作業性がよい。
【００１３】
本発明の請求項７に記載のショーケースは、請求項６に記載のショーケースであって、
キックプレートの開閉操作と連動して、吸引手段を自動的にオンオフさせるスイッチを設けたことを特徴としている。
この特徴によれば、キックプレートを開閉すると、吸引手段をオンオフさせるスイッチが自動的に作動するので、スイッチを手動で操作する手間が省ける。
【００１４】
本発明の請求項８に記載のショーケースは、請求項１ないし７のいずれかに記載のショーケースであって、
フィルタを前後方向に可撓性を有するものとしたことを特徴としている。
この特徴によれば、冷凍機ユニットを収容した筐体の横幅が小さくても、フィルタの側端部を後方に湾曲させて、左右方向から後方に方向転換させて移動させることができる。
【発明を実施するための最良の形態】
【００１５】
以下、本発明の実施形態を、図面に基づいて説明する。図１は、本発明のショーケースの側面図、図２は、図１のII-II線に沿う矢視平面図、図３は、冷凍機ユニットが収容された架台の正面図である。
【００１６】
ショーケースは、前面(以下、図１の左方を前として説明する)が解放されるとともに、左右両側面が透明もしくは半透明の側面板１により閉塞されたショーケース本体２と、このショーケース本体２を支持する箱状の架台３とを備え、架台３の内部には、圧縮機４、蒸発器５、凝縮器６等よりなる冷凍機ユニット７が収容されている。
【００１７】
前面が開口された架台３のベース板８における凝縮器６と近接する前端部上面には、図４に示すように、左右方向を向く側面視上向きコ字状断面の下部ガイドレール９が、架台３の左右方向の中央部附近まで取り付けられている。また、凝縮器６の前端部上面にねじ止めされた左右方向を向く取付板１０の下面には、側面視下向きコ字状の上部ガイドレール１１が、下部ガイドレール９と対向するように、架台３の左右方向の中央部附近まで固着されている。
【００１８】
上記下部ガイドレール９と上部ガイドレール１１とには、凝縮器６の前面を覆いうる大きさのフィルタ１２の上下の端部が、左右方向に摺動可能に嵌合されている。フィルタ１２の左側端部の前面には、操作把手１３が前向きに突設され、この操作把手１３は、上部ガイドレール１１の前部側の垂下片１１ａ（ガイド片）に形成された左右方向を向くスリット状のガイド溝１４に、左右方向に摺動可能に挿通されている。
【００１９】
図２及び図３の２点鎖線で示すように、操作把手１３の前端部を把持して右方に押動操作することにより、フィルタ１２を架台３の右半部まで移動することができるようになっている。なお、架台３の左右幅が小さく、フィルタ１２の移動ストロークが十分に取れないときには、前後方向に可撓性を有するフィルタ１２とし、その側端部を後方に湾曲させて、左右方向から後方に方向転換しうるようにすればよい。この際には、架台３の側部に、フィルタ１２を後方に向かってガイドする弧状のガイドレールを設ければよい。
【００２０】
架台３の前下端には、その前面開口部を覆いうる大きさをなすとともに、凝縮器６と対向する面に複数の通風孔１５を穿設してなるキックプレート１６の下端部が、前方に所要角度だけ傾動し得るように、図示しないヒンジをもって枢着されている(図１参照)。従って、キックプレート１６を架台３より取り外すことなく、フィルタ１２の操作把手１３を操作して、フィルタ１２を左右方向に移動させることができる。なお、キックプレート１６は、マグネットキャッチ(図示略)等により、常時架台３に止着しておけるようになっている。
【００２１】
フィルタ１２の移動方向側である架台３の左右方向の中央部、つまりフィルタ１２の端辺部には吸引ノズル１７が設けられ、この吸引ノズル１７には、蛇腹管等の可撓性を有する吸引管１８の一端が接続され、吸引管１８の他端は、架台３の後ろ隅部に設置された、モータ、吸引ファン、集塵バッグ(いずれも図示略)等よりなる公知の吸引装置(手段)１９に接続されている。
【００２２】
図５ないし図７に拡大して示すように、吸引ノズル１７は、下端部を一部残して、フィルタ１２側の面(後面)が開口された縦長の箱形をなし、左右の側板１７ａ、１７ａの後端部には、下端部を一部残して、フィルタ１２の上下寸法及び厚さとほぼ等しい切欠部２０、２０が形成され、両切欠部２０の下端の段部２１により、フィルタ１２の下端が摺動可能に支持されるようになっている。上記吸引管１８は、右側の側板１７ａの上下方向の中央部に嵌合して固着された接続管２２に接続されている。
【００２３】
吸引ノズル１７の前面と上面には、側面視逆Ｌ字状のブラケット２３が複数の止めねじ２４により取り付けられ、ブラケット２３の上片２３ａを凝縮器６の前端部上面に、同じく下向片２３ｂを架台３のベース板８の前面に、それぞれ止めねじ２４をもって取り付けることにより、吸引ノズル１７は、フィルタ１２の右側方における架台３の前端部の中央部に設けられている。
【００２４】
吸引ノズル１７の下端部の後面と、ブラケット２３の上片２３ａにおける凝縮器６より前方の下面とには、吸引ノズル１７の開口面の後方を覆うとともに、フィルタ１２の後面を支持してガイド可能な後面板２５が固着され、この後面板２５と吸引ノズル１７の両側板１７ａに設けた切欠部２０との間には、フィルタ１２が通過可能なガイド孔２６が形成されている。なお、上記のような別体の後面板２５を取り付ける代わりに、吸引ノズル１７を、後面の開口面も後面板により閉塞された箱型の一体構造のものとし、両側板１７ａに、上記のようなフィルタ１２が通過可能なガイド孔２６を穿設するようにしてもよい。
【００２５】
ブラケット２３及び吸引ノズル１７の下端部の前面には、吸引装置１９をオンオフさせる手動スイッチ２７が取り付けられている。
【００２６】
フィルタ１２を清掃するには、まずキックプレート１６を、図１の２点鎖線のように前方に開いたのち、手動スイッチ２７をオン側に操作し、吸引装置１９を作動させる。
【００２７】
次いで、フィルタ１２を、その左側の上端部に前向き突設した操作把手１３を持って右方に移動させ、右端部から順に吸引ノズル１７のガイド孔２６を通過させながら、架台３の右端まで徐々に移動させる。この通過過程で、フィルタ１２の前面に付着している埃が、吸引ノズル１７の開口面により吸引されて除去される。往路で除去されなかった埃は、フィルタ１２の復路行程でも除去される。除去された埃は、吸引管１８を通って吸引装置１９内の集塵バッグに集められる。
【００２８】
フィルタ１２の全面の埃を除去して、これを元の位置まで移動させた後、手動スイッチ２７をオフ操作し、キックプレート１６を閉じれば、フィルタ１２の清掃作業が終了する。
【００２９】
以上説明したように、本発明のショーケースにおいては、凝縮器６の前面に設けたフィルタ１２を、吸引装置１９を作動させた状態で右方に移動し、吸引ノズル１７を通過させるのみで、フィルタ１２に付着した埃が自動的に吸引されて除去される。従って、清掃の都度フィルタ１２を取り外すことなく簡単に清掃することができ、作業能率が大幅に向上する。
【００３０】
また、吸引ノズル１７は、フィルタ１２が通過するガイド孔２６のみを有する箱形をなしているので、フィルタ１２の前面に付着している埃を効果的に吸引して除去することができる。
【００３１】
なお、吸引ノズル１７を、フィルタ１２側の面が開口する箱形とし、開口面に沿ってフィルタ１２の前面が通過するようにしてもよい。
【００３２】
上記手動スイッチ２７に替えて、キックプレート１６の開閉操作と連動して吸引装置１９を自動的にオンオフさせる自動スイッチを設けてもよい。この自動スイッチは、例えば図２に示すように、キックプレート１６を閉じたとき、これにより後方に押動されてオフとなり、かつ開いたときに前方に突出してオンとなる出没式自動スイッチ２８等でよく、これを、架台３の側端部前面等に設ければよい。
【００３３】
また、前記実施例では、フィルタ１２は左右方向に移動自在に設けられていたが、上方または下方に移動可能にしてもよく、この場合、吸引ノズル１７を凝縮器６の前面上端部または下端部に配置するとともに、前後方向に可撓性を有するフィルタ１２とし、その側端部を後方に湾曲させて、上下方向から後方に方向転換しうるようにすればよい。
【図面の簡単な説明】
【００３４】
【図１】本発明のショーケースの一部切欠き側面図である。
【図２】図１のII-II線に沿う矢視平面図である。
【図３】冷凍機ユニットが収容された架台の一部切欠き正面図である。
【図４】図３のIV-IV線に沿う拡大縦断側面図である。
【図５】吸引ノズルの一部切欠き拡大正面図である。
【図６】図５のVI-VI線に沿う縦断側面図である。
【図７】同じく図５のVII-VII線に沿う拡大横断平面図である。
【符号の説明】
【００３５】
２    ショーケース本体
３    架台
７    冷凍機ユニット
８    ベース板
９    下部ガイドレール
１１  上部ガイドレール
１１ａ 垂下片（ガイド片）
１２  フィルタ
１３  操作把手
１４  ガイド溝
１６  キックプレート
１７  吸引ノズル
１９  吸引装置(吸引手段)
２０  切欠部
２２  接続管
２５  後面板
２６  ガイド孔
２７  手動スイッチ
２８  出没式自動スイッチ
【図１】
2009180399.tif 000003
【図２】
2009180399.tif 000004
【図３】
2009180399.tif 000005
【図４】
2009180399.tif 000006
【図５】
2009180399.tif 000007
【図６】
2009180399.tif 000008
【図７】
2009180399.tif 000009